(57)【要約】【課題】調整機構を具えた紐巻き取り器の提供。【解決手段】内部に弾性回復力を具えたリールを具えて該リールに紐が巻き付けられたケースと、リールの一側に設置されると共に調整手段と連設された押し棒を具えた調整機構とを具え、調整手段が第１位置に位置する時、選択的に押し棒を駆動して紐を押さえ、紐の回収速度を微調整して紐を平らに整った状態でリールに巻き取らせ、調整手段が第１位置より第２位置に移動する時、押し棒が速やかに紐より離脱することを特徴とする、調整機構を具えた紐巻き取り器としている。【選択図】        図６
2004161457.tif 000002
【特許請求の範囲】
【請求項１】
調整機構を具えた紐巻き取り器において、
ケースとされ、内部に弾性回復力を具えたリールを有し、該リールに紐が巻き付けられた、上記ケースと、
調整機構とされ、該リールの一側に設置され、並びに調整手段と該調整手段に連設された押し棒を具え、調整手段が第１位置に位置する時に選択的に押し棒を駆動して紐を押圧することができ、これにより紐の回収速度を微調整すると共に紐を平らに整った状態でリール内に回収でき、調整手段が第１位置より第２位置に移動する時、該押し棒が速やかに紐より離脱する、上記調整機構と、
を具えたことを特徴とする、調整機構を具えた紐巻き取り器。
【請求項２】
請求項１に記載の調整機構を具えた紐巻き取り器において、ケースが、第１ケースと第２ケースが相互に閉じ合わされて形成されたことを特徴とする、調整機構を具えた紐巻き取り器。
【請求項３】
請求項１に記載の調整機構を具えた紐巻き取り器において、ケースが握持部分を具え、該握持部分に使用者が握持する時に複数の手指を挿入できる開口が設けられたことを特徴とする、調整機構を具えた紐巻き取り器。
【請求項４】
請求項２に記載の調整機構を具えた紐巻き取り器において、第１ケースに中心軸が設けられ、リールが該中心軸に設置され、該リールが収容室と該収容室の両側に環状に設けられた周壁を具えたことを特徴とする、調整機構を具えた紐巻き取り器。
【請求項５】
請求項１に記載の調整機構を具えた紐巻き取り器において、ケース内に制動装置が設けられ、該制動装置が使用者の選択的押圧によりリールを圧迫して暫時制動を達成するための押しボタンを具えたことを特徴とする、調整機構を具えた紐巻き取り器。
【請求項６】
請求項５に記載の調整機構を具えた紐巻き取り器において、押しボタンの一側に切欠きを具えた限位手段が枢設され、押しボタンの側辺に係止部が設けられ、押しボタンが外力により押圧される時、該限位手段を回転させて、切欠きの外側壁面を係止部に係合させ、該押しボタンの回復動作を制限することを特徴とする、調整機構を具えた紐巻き取り器。
【請求項７】
請求項１に記載の調整機構を具えた紐巻き取り器において、ケース内に結合部が設けられて調整機構の調整手段を収容し、該調整手段が六角状の第１端を具え、該調整手段の第２端がスクリューロッドとされて結合部を貫通して押し棒と螺接し、並びに結合部内に円孔、角孔が設けられ、該結合部外縁に外ストッパ縁が設けられ、調整手段が第１位置にある時、該円孔に対して回転し、第２位置にあるとき、角孔内に固定されることを特徴とする、調整機構を具えた紐巻き取り器。
【請求項８】
請求項１に記載の調整機構を具えた紐巻き取り器において、ケース内に凸柱が設けられ、押し棒が収容空間を具えて該凸柱の周縁に套設され、並びに収容空間内にスプリングが設けられ、このスプリングの第一端が押し棒端部内側に当接し、第２端が凸柱に当接したことを特徴とする、調整機構を具えた紐巻き取り器。
【請求項９】
請求項７に記載の調整機構を具えた紐巻き取り器において、結合部の円孔、角孔が、ケースの上下の二つの半円凹口と半六角凹口で組成されたことを特徴とする、調整機構を具えた紐巻き取り器。
【発明の詳細な説明】
【０００１】
【発明の属する技術分野】
本発明は一種の紐巻き取り器に係り、特に調整機構を具えた紐巻き取り器に関する。
【０００２】
【従来の技術】
周知のリール構造は、そのリール本体内部の紐が引き出されて使用に供されるが、紐を回収する時、巻き取り速度が速過ぎ、使用者を傷つけやすく、特に紐を長く引き伸ばし過ぎる時、緩衝或いは紐を暫時制動する構造が設置されておらず、このため使用上の欠点を形成し、改良の必要がある（例えば特許文献１参照。）。
【０００３】
【特許文献１】
台湾特許公告第３９２６８６号明細書
【０００４】
【発明が解決しようとする課題】
本発明は一種の調整機構を具えた紐巻き取り器を提供することを課題とし、それは、内部に弾性回復力を具えたリールを具えて該リールに紐が巻き付けられたケースと、リールの一側に設置されると共に調整手段と連設された押し棒を具えた調整機構とを具え、調整手段が第１位置に位置する時、選択的に押し棒を駆動して紐を押さえ、紐の回収速度を微調整して紐を平らに整った状態でリールに巻き取らせ、調整手段が第１位置より第２位置に移動する時、押し棒が速やかに紐より離脱することを特徴とする、調整機構を具えた紐巻き取り器であるものとする。
【０００５】
【課題を解決するための手段】
請求項１の発明は、調整機構を具えた紐巻き取り器において、
ケースとされ、内部に弾性回復力を具えたリールを有し、該リールに紐が巻き付けられた、上記ケースと、
調整機構とされ、該リールの一側に設置され、並びに調整手段と該調整手段に連設された押し棒を具え、調整手段が第１位置に位置する時に選択的に押し棒を駆動して紐を押圧することができ、これにより紐の回収速度を微調整すると共に紐を平らに整った状態でリール内に回収でき、調整手段が第１位置より第２位置に移動する時、該押し棒が速やかに紐より離脱する、上記調整機構と、
を具えたことを特徴とする、調整機構を具えた紐巻き取り器としている。
請求項２の発明は、請求項１に記載の調整機構を具えた紐巻き取り器において、ケースが、第１ケースと第２ケースが相互に閉じ合わされて形成されたことを特徴とする、調整機構を具えた紐巻き取り器としている。
請求項３の発明は、請求項１に記載の調整機構を具えた紐巻き取り器において、ケースが握持部分を具え、該握持部分に使用者が握持する時に複数の手指を挿入できる開口が設けられたことを特徴とする、調整機構を具えた紐巻き取り器としている。
請求項４の発明は、請求項２に記載の調整機構を具えた紐巻き取り器において、第１ケースに中心軸が設けられ、リールが該中心軸に設置され、該リールが収容室と該収容室の両側に環状に設けられた周壁を具えたことを特徴とする、調整機構を具えた紐巻き取り器としている。
請求項５の発明は、請求項１に記載の調整機構を具えた紐巻き取り器において、ケース内に制動装置が設けられ、該制動装置が使用者の選択的押圧によりリールを圧迫して暫時制動を達成するための押しボタンを具えたことを特徴とする、調整機構を具えた紐巻き取り器としている。
請求項６の発明は、請求項５に記載の調整機構を具えた紐巻き取り器において、押しボタンの一側に切欠きを具えた限位手段が枢設され、押しボタンの側辺に係止部が設けられ、押しボタンが外力により押圧される時、該限位手段を回転させて、切欠きの外側壁面を係止部に係合させ、該押しボタンの回復動作を制限することを特徴とする、調整機構を具えた紐巻き取り器としている。
請求項７の発明は、請求項１に記載の調整機構を具えた紐巻き取り器において、ケース内に結合部が設けられて調整機構の調整手段を収容し、該調整手段が六角状の第１端を具え、該調整手段の第２端がスクリューロッドとされて結合部を貫通して押し棒と螺接し、並びに結合部内に円孔、角孔が設けられ、該結合部外縁に外ストッパ縁が設けられ、調整手段が第１位置にある時、該円孔に対して回転し、第２位置にあるとき、角孔内に固定されることを特徴とする、調整機構を具えた紐巻き取り器としている。
請求項８の発明は、請求項１に記載の調整機構を具えた紐巻き取り器において、ケース内に凸柱が設けられ、押し棒が収容空間を具えて該凸柱の周縁に套設され、並びに収容空間内にスプリングが設けられ、このスプリングの第一端が押し棒端部内側に当接し、第２端が凸柱に当接したことを特徴とする、調整機構を具えた紐巻き取り器としている。
請求項９の発明は、請求項７に記載の調整機構を具えた紐巻き取り器において、結合部の円孔、角孔が、ケースの上下の二つの半円凹口と半六角凹口で組成されたことを特徴とする、調整機構を具えた紐巻き取り器としている。
【０００６】
【発明の実施の形態】
図１から図７には本発明の数種類の実施例の構造が示されているが、これは説明のために提示されたものであって、本発明の請求範囲を限定するものではない。
【０００７】
まず図１、２を参照されたい。これらの図に示されるように、本発明の主要な構造は以下を具えている。
【０００８】
ケース１は第１ケース１０と第２ケース２０が相互に閉じ合わされてなり、並びに一つの握持部分２を具え、該握持部分２に開口３が設けられ、該開口３が適当な長さと幅を具えて使用者がケース１の握持部分２を握持する時に、使用者の少なくとも四本の指が開口３内に挿入されうる。
【０００９】
該第１ケース１０は、中心軸１１を具え、弾性回復力を具えたリール１２が該中心軸１１に設置され、該リール１２が収容室１２１と、収容室１２１の両側に環状に設けられた周壁１２２を具え、且つリール１２の一側に第１結合部１３が設けられ、該第１結合部１３の内縁に半円凹口１３３と、それと一段の距離を置いた外ストッパ縁１３２とが設けられ、並びに第１結合部１３と半円凹口１３３の間に半六角凹口１３１が設けられ、且つ半円凹口１３３に連通する半円状の内凹縁１３４が設けられている。
【００１０】
紐１４は、リール１２の収容室１２１内に巻き付けられ、並びに引張り端１４１を具えて、該引張り端１４１が第１ケース１０の周縁の開口１５より引き出されると共に所定形状のヘッドと結合されている。且つリール１２側辺に立柱１６が設けられている。
【００１１】
該第２ケース２０は、中心軸１１に対応する結合ブロック２５を具え、並びに第２ケース２０の周縁に第２結合部２１が設けられ、該第２結合部２１に半円凹口２１３、半六角凹口２１１及び外ストッパ縁２１２、及び半六角凹口２１１に連通する内凹縁２１４が設けられ、第１ケース１０と第２ケース２０が結合される時、第１結合部１３と第２結合部２１が閉じ合わされて一つの収容室を形成し、二つの半六角凹口１３１、２１１が一つの六角孔状を形成し、二つの内凹縁１３４、２１４が一つの穿孔を形成し、且つ第２結合部２１内側部分に凸柱２２が立設される。
【００１２】
制動装置３０は、第１ケース１０及び第２ケース２０間に設置され、且つリール１２の一側に位置し、並びに押しボタン３１と限位手段３２を具え、該押しボタン３１は押圧端３１１と制動端３１２を具え、該制動端３１２に摩擦手段３１３が設けられ、且つ該押しボタン３１本体に収容空間３１５が設けられ、第１ケース１０の立柱１６に套設され、スプリング３１４の一端が収容空間３１５内壁に当接させられ、別端が立柱１６に当接させられ、押しボタン３１がケース１に対して弾性往復動作を形成し、且つ押しボタン３１の一側に係止部３１６が設けられ、該限位手段３２が駆動端３２１と限位端３２２を具え、並びに横向きにケース１に枢接されて押しボタン３１の側辺位置に位置し、並びに該限位端３２２の周縁に切欠き３２３が設けられて押しボタン３１の係止部３１６と対応し、押しボタン３１が第１ケース１０に対して押圧されて進入し、並びに摩擦手段３１３によりリール１２の周壁１２２が押圧されることにより、紐１４が引き出されるか或いは巻き取られる時、制動作用を受け、且つ押しボタン３１が圧入されると同時に、限位手段３２が駆動されて限位端３２２が回転させられ、切欠き３２３と押しボタン３１の係止部３１６が分離し、並びに切欠き３２３の外側壁面が係止部３１６に係合し、これにより押しボタン３１の回復動作が制限され、こうして暫時係止の制動作用が達成される。
【００１３】
調整機構４０は、第１ケース１０、第２ケース２０の第１結合部１３、第２結合部２１に設置され、並びに図３に示されるように、調整機構４０は調整手段４１と押し棒４２を具え、該調整手段４１が第１端４１１と第２端４１２を具え、第１端４１１が六角状とされ、第２端４１２がスクリューロッドとされ、該押し棒４２が結合端４２１と当接端４２２を具え、結合端４２１にネジ孔４２３が設けられ、調整手段４１が第１結合部１３、第２結合部２１の形成する収容室内に収容され、その第２端４１２が二つの内凹縁１３４、内凹縁２１４の形成する穿孔を貫通して該ネジ孔４２３にねじ込まれ、並びに調整手段４１の第１端４１１が六角状とされたことにより二つの半六角凹口１３１、２１１の形成する六角孔と相対回転を発生しないが、二つの半円凹口１３３、２１３の形成する円孔と相対回転を発生し、また二つの外ストッパ縁１３２、外ストッパ縁１３２、２１２の設置により、調整手段４１が僅かに第１結合部１３、第２結合部２１において微量の横移動のみ可能で、脱出不能とされ、且つ押し棒４２の本体に収容空間４２４が設けられて凸柱２２周縁に套設され、並びに収容空間２４２内にスプリング４３が設けられ、該スプリング４３の第１端が押し棒４２の結合端４２１に当接し、第２端が凸柱２２に当接する。
【００１４】
図４、５に示されるように、紐１４をリール１２の収容室１２１内より引き出した後に自動回収したい時は、もし紐１４を急速回収したくなければ、調整手段４１の第１端４１１が第１位置とされ、即ち第１結合部１３と第２結合部２１内の二つの半円凹口１３３、２１３の形成する円孔内に位置して発生する相対回転関係により、押し棒４２を駆動でき、押し棒４２が凸柱２２の貫通を受けてそれに伴い回転しないため、両者の調整手段４１と押し棒４２の螺合関係により、押し棒４２の当接端４２２をリール１２の収容室１２１内の紐１４に向けて移動させられ、押し棒４２をスライドさせてスプリング４３を圧迫し、これにより紐１４を押さえることができる。図６には押し棒４２が調整を受けて紐１４を押さえる状況が示され、その回収速度を微調整し且つ紐１４を平らに整えてリール１２内に回収することができる。
【００１５】
さらに、図７に示されるように、上述の微調整動作により、紐１４をゆっくりと回収でき、且つ紐１４を比較的平らに整った状態でリール１２内に回収できるほか、もし押し棒４２を紐１４より離脱させて紐１４の回収速度を制限したくなければ、調整手段４１の第１端４１１をある角度回転させて、二つの半円凹口１３３、２１３より半六角凹口１３１、２１１の第２位置へと移動させれば、押し棒４２を駆動して移動させて押し棒４２の当接端４２２を速やかに紐１４より離脱させることができ、並びに押し棒４２内のスプリング４３の押圧により、調整手段４１と押し棒４２をそれ以上内側に移動させず、これにより、紐１４をリール１２内に回収する時に、調整手段４１に快速回復動作を行わせて、紐１４の再度の快速引き伸ばしを行うことができる。
【００１６】
【発明の効果】
総合すると、本発明は以下の長所を有している。
１．本発明の調整機構を具えた紐巻き取り器は、紐をリールの収容室内より引き出した後に自動回収したい時、紐を快速回収したくなければ、調整手段が二つの半円凹口の形成する円孔内で発生する相対回転関係により、押し棒を駆動でき、並びに両者の螺合関係により、押し棒の当接端をリールの収容室内の紐に向けて移動させられ、押し棒をスライドさせてスプリングを圧迫させ、これにより紐を押さえ、紐の回収速度を微調整できると共に紐を平らに整った状態でリール内に回収でき、操作上の実用性を有する。
２．本発明の調整機構を具えた紐巻き取り器は、押し棒を紐より離脱させて紐の回収速度を制限しないようにしたい時、該調整手段の第１端をある角度回転させて、それを二つの半円凹口より半六角凹口の第２位置に移動させれば、押し棒を駆動して移動させられ、これにより押し棒の当接端を紐より速やかに離脱させ、並びに押し棒内のスプリングの押圧により、調整手段と押し棒を内向きに移動させず、こうして紐をリール内に巻き取る時に、調整機構に快速回復動作を行わせて、紐の再度の快速引き伸ばしを行うことができる。
【００１７】
以上から、本発明は極めて産業上の利用価値を有し、且つ未だ同じ或いは類似の発明は国内外の刊行物に見られず、また公開使用もされていないため、新規性を有している。なお、以上の実施例は本発明の実施範囲を限定するものではなく、本発明に基づきなし得る細部の修飾或いは改変は、いずれも本発明の請求範囲に基づくものとする。
【図面の簡単な説明】
【図１】本発明の斜視図である。
【図２】本発明の分解斜視図である。
【図３】本発明の局部拡大図である。
【図４】本発明の調整機構未動作時の断面図である。
【図５】本発明の調整機構の微調整動作表示図である。
【図６】本発明の平面断面図である。
【図７】本発明の調整機構が紐より離れる動作表示図である。
【符号の説明】
１  ケース          ２  握持部分
３  開口            １０  第１ケース
１１  中心軸        １２  リール
１２１  収容室      １２２  周壁
１３  第１結合部    １３１  半六角凹口
１３２  外ストッパ縁    １３３  半円凹口
１３４  内凹縁          １４  紐
１４１  引張り端        １５  開口
１６  立柱              ２０  第２ケース
２１  第２結合部        ２１１  半六角凹口
２１２  外ストッパ縁    ２１３  半円凹口
２２  凸柱              ２５  結合ブロック
３０  制動装置          ３１  押しボタン
３１１  押圧端          ３１２  制動端
３１３  摩擦手段        ３１４  スプリング
３１５  収容空間        ３１６  係止部
３２  限位手段          ３２１  駆動端
３２２  限位端          ３２３  切欠き
４０  調整機構          ４１  調整手段
４１１  第１端          ４１２  第２端
４２  押し棒            ４２１  結合端
４２２  当接端          ４２３  ネジ孔
４２４  収容空間        ４３  スプリング
【図１】
2004161457.tif 000003
【図２】
2004161457.tif 000004
【図３】
2004161457.tif 000005
【図４】
2004161457.tif 000006
【図５】
2004161457.tif 000007
【図６】
2004161457.tif 000008
【図７】
2004161457.tif 000009